(57)【要約】【課題】太陽電池モジュールの取り外しや取り付け作業を容易に行えて施工性や保守性を向上させる。【解決手段】架台３の高さの異なる第一支持部材８Ａ，第二支持部材８Ｂに取付部材１０を傾斜して取り付け、取付部材１０に沿って上端部５ｂから下端部５ａにかけて複数の太陽電池モジュール４をねじで固定した太陽電池アレイ５を傾斜面に設けた。第二支持部材８Ｂは太陽電池アレイ５の上端部から下端部側に偏った位置に設けた。太陽電池アレイ５を山型に対向して配設し、太陽電池アレイ同士の対向する上端部５ｂに間隙Ｋを形成し、設置面との間に作業スペース１１を設けた。太陽電池アレイ５の下端部５ａ側の太陽電池モジュール４は受光面である表面側からねじで架台３に固定し、その他の太陽電池モジュール４は設置面２のある裏面側からねじで固定した。【選択図】図１
2017208975.tif 000002
【特許請求の範囲】
【請求項１】
複数の太陽電池モジュールを配列してなる太陽電池アレイを架台に取り付けた太陽光発電ユニットにおいて、
前記複数の太陽電池モジュールを配列した前記太陽電池アレイの一端部は設置面に近接され、他端部は前記設置面から離間した頂部に位置するように傾斜して配設され、
前記一端部側の前記太陽電池モジュールまたは前記他端部側の前記太陽電池モジュールの少なくとも一方が受光面側から固定具によって架台に固定され、その他の前記太陽電池モジュールは前記設置面側から固定具によって前記架台に固定されているようにしたことを特徴とする太陽光発電ユニット。
【請求項２】
複数の太陽電池モジュールを配列してなる太陽電池アレイを架台に取り付けた太陽光発電ユニットにおいて、
前記複数の太陽電池モジュールを配列した前記太陽電池アレイの一端部は設置面に近接され、他端部は前記設置面から離間した頂部に位置するように傾斜して配設され、
前記太陽電池アレイは前記架台の取付部材によって傾斜して支持されていて、前記他端部における前記取付部材の先端よりも前記太陽電池モジュールが上方に突出していることを特徴とする太陽光発電ユニット。
【請求項３】
前記太陽電池アレイは山型に対向して配設され、前記太陽電池アレイ同士の対向する前記他端部及びその近傍の設置面からの高さは人が立って作業できる程度に設定された作業スペースとされている請求項１または２に記載された太陽光発電ユニット。
【請求項４】
前記太陽電池アレイを支持していて傾斜して配設された前記架台の取付部材と、前記取付部材を支持していて前記一端部側に設置された第一支持部材と他端部側に設置された第二支持部材とを備え、前記第二支持部材は前記他端部から前記第一支持部材側に偏った位置に設置されていて前記作業スペースの横幅を形成した請求項３に記載された太陽光発電ユニット。
【請求項５】
前記他端部と設置面との距離は１８０ｃｍ〜２５０ｃｍの範囲に設定されている請求項３または４に記載された太陽光発電ユニット。
【請求項６】
前記山型の太陽電池アレイは所定間隔を開けて複数配列され、隣り合う前記山型の太陽電池アレイの前記一端部同士の間隙は２０ｃｍ〜６０ｃｍの範囲に設定されている請求項３から５のいずれか１項に記載された太陽光発電ユニット。
【請求項７】
前記山型の太陽電池アレイは対向する一方の太陽電池アレイと他方の太陽電池アレイとが東西方向に配設されている請求項３から６のいずれか１項に記載された太陽光発電ユニット。
【発明の詳細な説明】
【技術分野】
【０００１】
本発明は、例えば平地や屋根等に設置される太陽光発電ユニットに関する。
【背景技術】
【０００２】
太陽電池モジュール(太陽電池パネル)を配列させた太陽電池アレイを設置した太陽光発電ユニットとして例えば特許文献１に記載された山型のものが提案されている。この太陽光発電ユニットは架台に平面状のベースレールを水平に設置し、その上に設置した上部側と下部側の横桟に太陽電池モジュールを固定すると共に横桟方向に複数枚を配列してなる太陽電池アレイを傾斜面状に形成した。
太陽電池アレイを頂上部と谷間部とが交互に形成されるように密着させて山型に設置している。そのため、複数の太陽電池アレイは、その受光面が山型の一方向と他方向に傾く傾斜面をそれぞれ形成している。
【０００３】
このような複数の太陽電池モジュールを架台に傾斜させて固定する場合、ボルト等で太陽電池モジュールの裏面から取り付ける場合と表面から取り付ける場合とがある。裏面から取り付ける場合には、例えば太陽電池モジュールのフレームの裏面側に設けられた穴を利用してボルト等で横桟に固定している。
また、受光面である表面から取り付ける場合には、太陽電池モジュールの表面上の部材と架台の横桟との間に太陽電池モジュールを挟み込み、表面側からボルトで固定している。通常は部材点数削減のために太陽電池アレイの表面側と裏面側のどちらか一方側に固定している。
【０００４】
また、一般に従来の太陽光発電ユニットでは、太陽電池アレイの周囲に施工や保守のスペースを確保するため、敷地いっぱいに太陽電池モジュールを配列することができなかった。
【先行技術文献】
【特許文献】
【０００５】
【特許文献１】特開２０１３−１５７４７８号公報
【発明の概要】
【発明が解決しようとする課題】
【０００６】
ところで、裏面側から太陽電池モジュールの固定が行われた場合において、保守や施工等に際して複数の太陽電池モジュールの取り外しや取り付け等を行うとすると、太陽電池アレイの下端部付近では設置面との隙間が小さく作業が困難であり施工性や保守性が悪いという欠点があった。
また、保守や施工等に際して表面側から太陽電池モジュールの取り外しや取り付けを行うと太陽電池アレイの上端部付近では設置面からの高さが大きいため作業が困難であった。
【０００７】
また、上述したように、太陽電池アレイの間隔を最小にして敷地いっぱいに太陽電池モジュールを配列した場合、故障等した１枚の太陽電池モジュールを交換するには裏面側から行う必要があった。しかしながら、太陽電池モジュールが全て設置された状態から１枚の故障した太陽電池モジュールを取り外す場合、太陽電池アレイの下端部と上端部に取り外しを行うスペースがなく困難であった。
【０００８】
本発明は、このような事情に鑑みてなされたものであり、太陽電池モジュールの取り外しや取り付け作業等を容易に行えて施工性や保守性を向上させることができるようにした太陽光発電ユニットを提供することを目的とする。
【課題を解決するための手段】
【０００９】
本発明による太陽光発電ユニットは、複数の太陽電池モジュールを配列してなる太陽電池アレイを架台に取り付けた太陽光発電ユニットにおいて、複数の太陽電池モジュールを配列した太陽電池アレイの一端部は設置面に近接され、他端部は設置面から離間した頂部に位置するように傾斜して配設され、一端部側の太陽電池モジュールまたは他端部側の太陽電池モジュールの少なくとも一方が受光面側から固定具によって架台に固定され、その他の太陽電池モジュールは設置面側から固定具によって架台に固定されていることを特徴とする。
本発明によれば、架台に傾斜して取り付けた太陽電池アレイにおいて一端部側の太陽電池モジュールを受光面側に固定した場合には、受光面側から故障等した太陽電池モジュールの着脱交換等を行えるため、修理や保守等の作業を容易に行うことができる。また、他端部側の太陽電池モジュールを受光面側に固定した場合には、より強い強風等を受けても太陽電池モジュールの外れ等を防ぐことができる。
【００１０】
本発明による太陽光発電ユニットは、複数の太陽電池モジュールを配列してなる太陽電池アレイを架台に取り付けた太陽光発電ユニットにおいて、複数の太陽電池モジュールを配列した太陽電池アレイの一端部は設置面に近接され、他端部は設置面から離間した頂部に位置するように傾斜して配設され、太陽電池アレイは取付部材によって傾斜して支持されていて、他端部における取付部材の先端よりも太陽電池モジュールが一部上方に突出していることを特徴とする。
本発明によれば、経済性と効率性を考慮して太陽電池アレイを敷地いっぱいに設置した設置した場合、故障等した太陽電池モジュールの取り外しや取り付け等を容易に行うことは困難であるが、太陽電池アレイの他端部の太陽電池モジュールを架台の取付部材の先端よりも一部上方に突出させたため、他端部の太陽電池モジュールの固定と外して取付部材の先端から回動等させて裏面側に取り外したり設置面に落下させたりすることで、太陽電池アレイ同士の隙間が小さくても容易に太陽電池モジュールを取り外して交換や修理等の保守点検を行うことができる。
【００１１】
また、本発明による太陽光発電ユニットは、複数の太陽電池モジュールを配列してなる太陽電池アレイを架台に取り付けた太陽光発電ユニットにおいて、複数の太陽電池モジュールを配列した太陽電池アレイの一端部は設置面に近接され、他端部は設置面から離間した頂部に位置するように傾斜して配設され、太陽電池アレイは山型に対向して配設され、太陽電池アレイ同士の対向する他端部及びその近傍の設置面からの高さは人が立って作業できる程度に設定された作業スペースとされていることを特徴とする。
本発明では、太陽電池アレイを効率化のために密接して設置しても、太陽電池アレイの裏面側に設置した作業スペースで容易に保守や点検の作業を行うことができて便利である。
【００１２】
また、太陽電池アレイを支持していて傾斜して配設された架台の取付部材と、取付部材を支持していて一端部側に設置された第一支持部材と他端部側に設置された第二支持部材とを備え、第二支持部材は他端部から第一支持部材側に偏った位置に設置されていて作業スペースの横幅を形成してもよい。
太陽電池アレイを支持する第二支持部材を頂部である他端部から偏った位置に設置することで作業スペースの横幅を確保できて作業を行い易い。
【００１３】
また、他端部と設置面との距離は１８０ｃｍ〜２５０ｃｍの範囲に設定されていてもよい。
作業スペースの他端部と設置面との距離を１８０ｃｍ〜２５０ｃｍの範囲に設定することで、立った状態で歩行や作業を行うことができて便利で作業が容易になる。
【００１４】
また、山型の太陽電池アレイは所定間隔を開けて複数配列され、隣り合う山型の太陽電池アレイの一端部同士の隙間は２０ｃｍ〜６０ｃｍの範囲に設定されていてもよい。
隣り合う山型の太陽電池アレイの一端部同士の間隙を２０ｃｍ〜６０ｃｍの範囲にすることで、太陽電池アレイの一端部に作業者が接近することが可能である上に、除草可能なスペースを確保できると共に太陽電池モジュールを設置していない空間を最小化できる。
【００１５】
また、山型の太陽電池アレイは対向する一方の太陽電池アレイと他方の太陽電池アレイとが東西方向に配設されていてもよい。
山型の対向する一対の太陽電池アレイを東西方向に配設することで、日中の午前と午後にも太陽光を受光できる。
【発明の効果】
【００１６】
本発明による太陽光発電ユニットによれば、傾斜して配列された太陽電池モジュールの設置面に近い一端部側の太陽電池モジュールを受光面側から架台に固定することで取り外しや取り付け等の作業が容易であり、施工性や保守性を向上させることができる。また、頂部をなす他端部側の太陽電池モジュールを表面側から架台に固定することで強風等が吹き付ける等、風荷重や風応力が大きくても太陽電池モジュールが架台から外れにくく高い強度を確保できる。
【００１７】
また、本発明による太陽光発電ユニットによれば、頂部である他端部の太陽電池モジュールを取付部材の先端より部分的に突出して配置することで、取付部材の先端側に空間が形成されるため、固定部材を取り外して他端部側に太陽電池モジュールを移動させて取付部材の先端部で回動させる等で容易に太陽電池モジュールの取り外しを行うことができ、他の太陽電池モジュールも順次同様に取り外しが行えるため、故障等した任意の太陽電池モジュールの交換や保守等を容易に行える。
【図面の簡単な説明】
【００１８】
【図１】本発明の第一実施形態による太陽光発電ユニットの山型の太陽電池アレイを示す正面図である。
【図２】図１に示す太陽光発電ユニットの太陽電池モジュールの配列を示す平面図である。
【図３】図１に示す架台の支持部材を示す図である。
【図４】図３に示す支持部材と基部との連結部を示す図である。
【図５】図１に示す太陽光発電ユニットの架台における取付部材と梁部材と支持部材の取り付け構造を示す図である。
【図６】太陽電池アレイの配列方向における中間部の太陽電池モジュールと取付部材との固定構造を示す説明図であり、（ａ）は要部正面図、（ｂ）は固定構造を示す図６（ａ）のＡ−Ａ線断面図であり、（ｃ）は固定構造を示す図６（ｂ）のＢ−Ｂ線断面図である。
【図７】太陽電池アレイの下端部における太陽電池モジュールと取付部材との固定構造を示す説明図である。
【図８】本発明の第二実施形態による太陽光発電ユニットの山型の太陽電池アレイの上端部付近を示す要部拡大正面図であり、（ａ）は取付状態の図、（ｂ）は上端部の太陽電池モジュールを取り外す状態の図である。
【発明を実施するための形態】
【００１９】
以下、本発明の実施形態による太陽光発電ユニットについて添付図面により説明する。
図１から図７は本発明の第一実施形態による太陽光発電ユニット１を示す図である。第一実施形態による太陽光発電ユニット１は、図１及び図２に示すように、例えば地表面等の設置面２に設置された架台３の上部に複数の太陽電池モジュール４を配列した太陽電池アレイ５を配設して構成されている。
【００２０】
本実施形態では一対の太陽電池アレイ５が東方向と西方向とにそれぞれ傾斜する傾斜面からなる板状に形成され、一対の太陽電池アレイ５は互いに傾斜方向が東側と西側とに設置された山型に形成されている。また、山型をなす一対の太陽電池アレイ５は縦横方向に複数組設置されてほぼ敷地全面に配設されている。
太陽電池アレイ５は傾斜方向に見て設置面２に最も近い下端部(一端部)５ａと最も高い頂部をなす上端部(他端部)５ｂを有している。なお、本明細書において、太陽電池アレイ５の設置面２側を裏面、裏面側といい、太陽光が当たる受光面側を表面、表面側というものとする。
【００２１】
架台３は設置面２上に所定間隔で設置された基部７の上部に支持部材８が例えばトラス構造でそれぞれ固定され、その上部に梁部材９が連結されている。支持部材８は太陽電池アレイ５の傾斜方向に離間して例えば２組設置され、その一方は太陽電池アレイ５の下端部５ａまたはその近傍に設置された第一支持部材８Ａであり、他方は上端部５ｂよりも下端部５ａ側に寄った位置に設置された第二支持部材８Ｂである。
梁部材９の上部には垂木をなす取付部材１０が傾斜状態で固定されている。梁部材９と取付部材１０は平面視で互いに直交する方向に配列されている。
【００２２】
山型に形成された一対の太陽電池アレイ５及び取付部材１０の傾斜姿勢に関し、各上端部５ｂの間にわずかな間隙Ｋがある。これら各上端部５ｂから両側の第二支持部材８Ｂまでの間は作業者が立って歩行や保守点検作業等をできる程度の高さと横幅を有する作業スペース１１を形成している。作業スペース１１内には支持部材８を設置していない。
作業スペース１１において、設置面２から上端部５ｂまでの高さは例えば１８０ｃｍ〜２５０ｃｍ程度、第二支持部材８Ｂの高さは例えば１００ｃｍ〜１７０ｃｍ程度、一対の第二支持部材８Ｂ間の距離は例えば１５０ｃｍ程度以上である。
【００２３】
下端部５ａは上端部５ｂよりかなり高さが低く、設置面２から例えば３７ｃｍ程度の高さを有している。
また、図１に示すように、山型をなす一対の太陽電池アレイ５を複数組配列する場合、一組の太陽電池アレイ５の下端部５ａと隣の組の太陽電池アレイ５の下端部５ａとの隙間Ｌを作業者が通行したり作業ができる程度の隙間に設定することが好ましい場合がある。
その一方で、太陽電池モジュール４の設置効率を高めるためには、隙間Ｌの幅を極力狭くすることが好ましい。そのため、隙間Ｌの幅は例えば２０ｃｍ〜６０ｃｍの範囲に設定した。間隙Ｋと隙間Ｌを最小化することで、敷地内で太陽電池モジュール４を設置していないスペースを最小化できる。
【００２４】
図３に示すように、各支持部材８は例えばトラス状に形成されている。図４において、各支持部材８の略Ｖ字状に形成された２本の鋼材１２の下端部が基部７の固定板１３にねじ止め固定されている。図５に示すように、取付部材１０の上端部には断面略コの字状の梁部材９が略水平に固定され、梁部材９の上部枠が固定枠１４を介して傾斜姿勢の取付部材１０の側部にねじ固定されている。
【００２５】
図１及び図２において、所定間隔で配列された傾斜した取付部材１０には、その上端部５ｂから下端部５ａに向けて複数枚（図２では例えば６枚）の太陽電池モジュール４がねじ１６でそれぞれ固定されている。しかも、複数枚の太陽電池モジュール４が縦横方向に配列されて太陽電池アレイ５を構成している。
【００２６】
太陽電池モジュール４は取付部材１０の傾斜角度に沿って東西方向に配列されており、しかも取付部材１０の傾斜角度に沿って適宜角度、例えば１５°の傾斜角を有しているために日中の午前午後に亘って太陽光を受光することができる。山型をなす二組の太陽電池アレイ５はその上端部同士が図１に示すように対向して配設されている。
図１及び図２に示す一対の太陽電池アレイ５は左右対称に配置されているが、必ずしも対称である必要はない。
【００２７】
次に、太陽電池モジュール４の固定構造について図６及び図７により説明する。
図１及び図２に示す太陽電池アレイ５の取付部材１０の傾斜方向に配列された６枚の太陽電池モジュール４において、下端部５ａと上端部５ｂの太陽電池モジュール４を除く中間部の太陽電池モジュール４は、図６（ａ）、（ｂ）、（ｃ）に示すように断面略コの字状の取付部材１０の上部裏面１０ａと太陽電池モジュール４の断面略Ｅ字状の枠部４ａの下部４ｂとのネジ穴にねじ１６を捩じ込むことで固定されている。即ち、中間部に配列された太陽電池モジュール４は裏面側からねじ１６によって固定されている。
太陽電池アレイ５の下端部５ａと上端部５ｂを除く太陽電池モジュール４は設置面２からの高さが比較的高いので作業者が裏面側からねじ１６を着脱して太陽電池モジュール４を着脱する作業が容易である。
【００２８】
図７において、下端部５ａ側の太陽電池モジュール４は階段状の第一係止金具１７が取付部材１０に取り付けられ、この第一係止金具１７に表面側からねじ１６を捩じ込んで断面略コの字状の取付部材１０の上部に固定している。また、下端部５ａ側の太陽電池モジュール４と隣接する２つ目の太陽電池モジュール４との間にも断面略Ｕ字形状の第二係止金具１８が係止され、その中間凹部を表面側からねじ１６を捩じ込んで取付部材１０に固定している。
なお、下端部から２つ目の太陽電池モジュール４の上部側の枠部４ａは図６に示すものと同様に裏面側からねじ１６を捩じ込んで固定している。
【００２９】
このように太陽電池アレイ５における下端部５ａ側の太陽電池モジュール４を表面側からねじ１６で固定することで、設置面２に近接する下端部５ａ近傍において太陽電池モジュール４を取り外したり取り換えたりする場合に作業が容易になる。
なお、太陽電池アレイ５の上端部５ｂから下端部５ａに向けて裏面側でねじ止めする太陽電池モジュール４に対して、下端部５ａまたはその近傍における表面側からねじ止めする太陽電池モジュール４の枚数はその設置面２からの高さに応じて作業員が作業し易い高さを選択して適宜の数に設定できる。
【００３０】
太陽電池アレイ５の下端部５ａやその近傍は設置面２からの高さが低いため、裏面側から太陽電池モジュール４の取り外しや取り付けが困難であり、表面側からねじ１６の着脱を行う方が容易である。
また、太陽電池アレイ５の上端部５ｂ側では設置面２からの高さが高く作業がし易いため、裏面側からねじ１６の着脱を行うことで太陽電池モジュール４の取り外しや取り付けを容易に行うことができる。しかも、上端部５ｂ側では表面側から太陽電池モジュール４の着脱を行うことは手間がかかり容易ではない。
【００３１】
また、図１に示すように、第二支持部材８Ｂには電力変換装置２０（ＰＣＳ：パワーコンディショナー）や図示しない接続箱等が取り付けられており、各太陽電池モジュール４で発生した直流電力が接続箱を介して電力変換装置２０に集められる。この電力変換装置２０は作業スペース１１内に設置されている。
そのため、山型をなす一対の太陽電池アレイ５の間の作業スペース１１において、第二支持部材８Ｂに固定された電力変換装置２０が入力する電力によって発熱しても、熱は太陽電池アレイ５の裏面の傾斜面に沿って上昇して一対の上端部５ｂ間の間隙Ｋから外部に放出される。
また、雨等が降ったり設置面２に水溜まり等ができたりすると太陽電池アレイ５の裏面側に湿気が溜まるが、湿気も同様に間隙Ｋを通して外部に放出できる。
【００３２】
上述したように、本実施形態による太陽光発電ユニット１によれば、山型に対向して傾斜配置された一対の太陽電池アレイ５の下端部５ａ近傍の太陽電池モジュール４は表面側から取り外し取り付け可能であるため、太陽電池モジュール４の取り外しや取り付け作業が容易である。また、その他の中間部及び上端部５ｂの太陽電池モジュール４は比較的高さが高く裏面側から取り付け取り外しを行えるため、施工性と保守性を向上できる。
また、一対の太陽電池アレイ５の上端部５ｂ同士の間に間隙Ｋを形成したため、太陽電池アレイ５の裏面側に電力変換装置２０の熱気が生じたり雨水等による湿気が溜まったりしても、太陽電池アレイ５の傾斜面と上端部５ｂ間の間隙Ｋを通して外部に放出できる。
【００３３】
また、一対の太陽電池アレイ５の上端部５ｂ間と第二支持部材８Ｂとの間の作業スペース１１の空間は高さが高く、作業者が立った状態で歩行したり保守点検や太陽電池モジュール４の着脱作業等を行えるため、作業が容易である。そのため、裏面側での施工性やメンテナンス性等が向上する。
しかも、本実施形態による太陽光発電ユニット１は東西方向に傾斜面が位置するように太陽電池アレイ５を設置したため、太陽電池アレイ５の設置間隔を狭くできて単位敷地当たりの設置容量を増大できる。また、日中は午前も午後も両側の太陽電池アレイ５で太陽光を受光できる時間が長く一方の太陽電池アレイ５が他方の太陽電池アレイ５の影になる時間帯が少ないという利点もある。
【００３４】
なお、本発明は上述した実施形態による太陽光発電ユニット１に限定されることはなく、本発明の要旨を変更しない範囲で適宜の変更や置換等が可能であり、これらはいずれも本発明に含まれる。以下に、本発明の変形例や他の実施形態等について説明するが、上述した実施形態と同一または同様な部分や部材には同一の符号を用いて説明を省略する。
【００３５】
上述したように太陽電池アレイ５をその上端部５ｂに間隙Ｋを開けて山型に形成した場合、台風等の際に強風が太陽電池モジュール４の受光面である表面側から吹き付けることがある。この場合、上端部５ｂとその近傍の太陽電池モジュール４を裏面側からねじ固定した場合、強風の応力や荷重を受けて太陽電池モジュール４が架台３から外れる方向の応力を受けて損傷したり外れたりするおそれがある。特に上端部５ｂ側の太陽電池モジュール４は設置面２から離れているために風荷重が比較的大きく風応力の影響を受けやすい。
【００３６】
そのため、このような課題を改善するために、本変形例による太陽光発電ユニット１は、太陽電池アレイ５の上端部５ｂとその近傍の１〜２枚の太陽電池モジュール４を図７に示すように、表面側からねじ１６で第一係止金具１７と第二係止金具１８を介して固定するようにしてもよい。
この構成によって、本変形例による太陽光発電ユニット１は風応力に対する強度を高めることができる。
【００３７】
なお、下端部５ａ側の太陽電池モジュール４は設置面２に近く風の荷重が比較的小さいため、設置面２からの高さが小さく作業し難いことを除けば、裏面側からねじ止めしてもよい。或いは、取り外し容易のために表面側からねじ止めしてもよい。
従って、本発明では下端部５ａから上端部５ｂにかけて太陽電池モジュール４を複数配列した太陽電池アレイ５において、少なくとも下端部５ａと上端部５ｂの一方の１または２枚の太陽電池モジュール４を表面側からねじ１６で固定し、中間部を含めたその他の領域の太陽電池モジュール４は裏面側からねじ１６で固定することができる。
【００３８】
次に本発明の第二実施形態による太陽光発電ユニット１について図８により説明する。
本第二実施形態による太陽光発電ユニット１は一対の太陽電池アレイ５が山型に傾斜配置されている。図８（ａ）に示すように、太陽電池アレイ５を支持するために傾斜して配設された取付部材１０は先端部１０ａが太陽電池アレイ５の上端部５ｂよりも後退した位置に設置されている。
そのため、対向する取付部材１０の先端部１０ａ間の隙間をオープンスペースＱとして太陽電池モジュール４の着脱に利用することができる。各太陽電池モジュール４にはその下面に例えば、延伸方向に直交する断面が略コの字状の受け部材２２が一体に連結されて支持している。受け部材２２には太陽電池モジュール４を固定するためのネジ穴等の固定穴を設けてもよく、これにより、受け部材２２を介して取り付け部材１０に固定できる。
最上部の太陽電池モジュール４及び受け部材２２の上端部５ｂ側部分が取付部材１０よりも上方に突出している。取付部材１０の後退長さは適宜設定できるが、本実施形態では最上部の太陽電池モジュール４の長さの１／２程度とした。
【００３９】
そして、太陽電池アレイ５におけるいずれかの太陽電池モジュール４を故障や損傷等のために取り外す場合には、図８（ｂ）に示すように、上端部５ｂの太陽電池モジュール４及び受け部材２２の枠部を例えば表面側から固定しているねじ１６や第一及び第二係止金具１７，１８を取り外して太陽電池モジュール４及び受け部材２２の上端部５ｂを回動させる。すると、取付部材１０の先端部１０ａを支点として太陽電池モジュール４及び受け部材２２が一体に回動するため、裏面側から太陽電池モジュール４及び受け部材２２を落下させて取り外すことができる。そして、次の太陽電池モジュール４及び受け部材２２を固定するねじ１６を取り除いて取付部材１０の先端部１０ａまでスライドさせて、同様に下方に向けて回動させればよい。
このようにして所望の太陽電池モジュール４に到達するまで太陽電池モジュール４及び受け部材２２を順次取り外していけばよい。なお、上端部５ｂに設けた太陽電池モジュール４及び受け部材２２は裏面側からねじ１６で取付部材１０に固定してもよい。なお、図８（ａ）と（ｂ）に示すように、その延伸方向に直交する断面が略コの字状の受け部材２２を利用する場合は、受け部材２２は、コの字の開口方向を下方に向けて取付部材１０に上方から被せるように配置して、取付部材１０に取り付けてもよい。受け部材２２を上記の方向に向けて取付部材１０に取り付けることにより、太陽電池アレイ５の厚さ方向に生じる太陽電池モジュール４同士の高さの差を抑えることができる。なお、これに代えて、受け部材２２は、その断面がＬ字状、枠状、板状等の部材であってもよい。
【００４０】
上述のように本第二実施形態による太陽光発電ユニット１によれば、取付部材１０の先端部１０ａを太陽電池アレイ５の上端部５ｂより短い長さに設定することで、故障や損傷等を生じた一部の太陽電池モジュール４を受け部材２２と一体に取付部材１０のオープンスペースＱから容易に取り外すことができる。
【００４１】
なお、本発明による太陽光発電ユニット１は東西方向に傾斜面が向くように太陽電池アレイ５を山型に設置したが、これに代えて南北方向に設置してもよい。また、太陽電池アレイ５は山型に設置することなく、一方向に向けて傾斜させて配列してもよい。これらの場合でも上述した本発明を適用できる。
また、太陽電池モジュール４と取付部材１０との固定具は、ねじ１６、第一係止金具１７、第二係止金具１８等を含む。
【符号の説明】
【００４２】
１  太陽光発電ユニット
２  設置面
３  架台
４  太陽電池モジュール
５  太陽電池アレイ
８  支持部材
８Ａ  第一支持部材
８Ｂ  第二支持部材
１０  取付部材
１０ａ  先端部
１１  作業スペース
１６  ねじ
１７  第一係止金具
１８  第二係止金具
２０  電力変換装置
２２  受け部材
Ｋ  間隙
Ｌ  隙間
【図１】
2017208975.tif 000003
【図２】
2017208975.tif 000004
【図３】
2017208975.tif 000005
【図４】
2017208975.tif 000006
【図５】
2017208975.tif 000007
【図６】
2017208975.tif 000008
【図７】
2017208975.tif 000009
【図８】
2017208975.tif 000010